(57)【要約】【課題】複数の玉を周方向に等間隔で確実に分配することが可能な玉分配装置を提供する。【解決手段】複数組の串部材２０と押上部材３０との上下方向の対向距離Ｌｎは、互いに隣接する二組の基準串部材２０Ａと基準押上部材３０Ａとの対向距離Ｌ１を基準として、周方向両側に向かうに従って大きくなるように設定される（Ｌ１＜Ｌ２＜・・・＜Ｌ８）。玉分配装置１は、串部材２０の串歯２１が一対の玉６の間に挿入された際に、串部材２０及び押上部材３０の上方への移動を規制する軸受位置決め部１１のフランジ部１１ｃを備える。押上部材３０は、フランジ部１１ｃによって上方への移動が規制された後、上下駆動部４０による押上部材３０への上方への移動を規制する弾性体３７を有する。【選択図】図１
2014233827.tif 000002
【特許請求の範囲】
【請求項１】
内輪と、外輪と、前記内輪及び前記外輪との間に装入された複数の玉と、を有する玉軸受において、前記複数の玉を周方向に等間隔で分配する玉分配装置であって、
前記玉軸受が上方から取外し可能に嵌合される軸受位置決め部と、
前記複数の玉と同数で等間隔の環状に配列されて上下移動可能であると共に、周方向に隣接する一対の前記玉の間に下方から挿入されて前記玉を振り分ける玉分け部を有する複数の串部材と、
前記複数の串部材と同数で等間隔の環状に配列されて上下移動可能であると共に、前記複数の串部材とそれぞれ上下方向に対向するように配置されて、前記複数の串部材を上方に押上げ可能な複数の押上部材と、
前記複数の押上部材を保持し、上下方向への駆動力を発生する上下駆動部と、
前記串部材の玉分け部が、隣接する一対の前記玉の間に挿入された際に、前記串部材及び前記押上部材の上方への移動を規制する移動規制部と、
を備え、
前記押上部材は、前記移動規制部によって上方への移動が規制された後、前記上下駆動部による前記押上部材の上方への移動を規制するバッファ部を有し、
複数組の前記串部材と前記押上部材との対向距離は、隣接する前記串部材及び前記押上部材において異なるように設定される
ことを特徴とする玉分配装置。
【請求項２】
複数組の前記串部材と前記押上部材との対向距離は、互いに隣接する二組の前記串部材と前記押上部材との対向距離を基準として、周方向両側に向かうに従って大きくなる
ことを特徴とする請求項１に記載の玉分配装置。
【請求項３】
複数組の前記串部材と前記押上部材との対向距離は、一組の前記串部材と前記押上部材との対向距離を基準として、周方向一方側に向かうに従って大きくなる
ことを特徴とする請求項１に記載の玉分配装置。
【請求項４】
複数組の前記串部材と前記押上部材との対向距離は、径方向に対向配置された二組の前記串部材と前記押上部材との対向距離を基準として、周方向一方側に向かうに従って大きくなる
ことを特徴とする請求項１に記載の玉分配装置。
【請求項５】
複数組の前記串部材と前記押上部材との対向距離は、互いに隣接する二組の前記串部材と前記押上部材との対向距離と、前記互いに隣接する二組の前記串部材と前記押上部材に対して径方向に対向配置される、他の二組の前記串部材と前記押上部材との上下方向の対向距離と、を基準として周方向両側に向かうに従って大きくなる
ことを特徴とする請求項１に記載の玉分配装置。
【発明の詳細な説明】
【技術分野】
【０００１】
本発明は、玉分配装置に関する。
【背景技術】
【０００２】
従来より、玉軸受の外輪と内輪との間に組み込まれた複数の玉を等間隔に分配する玉分配装置として、例えば、特許文献１に記載の玉軸受の玉分配装置が知られている。
【０００３】
特許文献１の玉分配装置は、玉軸受が上方から取り出し可能に嵌込まれて設置される軸受セット部が上部に形成された装置本体と、複数の玉と同数で等間隔の環状に配列されて装置本体に昇降動可能に組み付けられると共に、上端部に玉軸受の隣接する玉の間に突入されてこれら玉を振り分ける玉分け部を有する複数の串部材と、複数の串部材を順次に昇降動させて複数の玉を等間隔に分配するカム機構と、を備えている。
【０００４】
玉分配を行う際には、先ず、装置本体の軸受セット部に玉軸受が上方から嵌込まれて設置される。次に、玉軸受の複数の玉と同数の串部材がカム機構によって順次に昇降動されることによって、各串部材の上端部の玉分け部が玉軸受の隣接する玉の間に順次に突入される。これによって、複数の玉が各串部材の間に等間隔に分配される。
【先行技術文献】
【特許文献】
【０００５】
【特許文献１】特開２００９−２３３７７７号公報
【発明の概要】
【発明が解決しようとする課題】
【０００６】
ところで、特許文献１の玉分配装置では、カム機構のカム面によって押上げられた串部材は、カム面の通過後に降下してしまうため、分配後の玉の位置が固定されない。したがって、分配前に相互に接触した状態の玉が、串部材の玉分け部によって分配される時、玉の移動に釣られて内輪又は外輪のどちらかが回転することがあり、このような場合、当該回転によって分配済の玉の位置がずれてしまうことがある。
【０００７】
なお、このような玉分配装置においても、内輪及び外輪が回転しないように確実に固定すれば、分配時の玉の移動の影響によって分配済の玉が移動することはないが、この場合には、内輪及び外輪を極めて正確に同軸配置しなければならない。一方、内輪及び外輪の同軸配置の精度が低い場合、すなわち内輪及び外輪が偏心して固定されている場合、内輪及び外輪の軌道面の間隔が周方向で不均一となるため、当該間隔の狭い部分では玉を分配する際に玉と内輪及び外輪とが接触し、玉の移動に伴って内輪又は外輪が回転して分配済の玉の位置がずれてしまうことがある。
【０００８】
また、串部材が下降する際に、串部材の球分け部の傾斜面に付着した油分等が接着剤としてはたらき、当該傾斜面に玉が吸引される現象が発生することがある。この現象が起きた場合も、分配済の玉が不正な位置に移動してしまうおそれがある。
【０００９】
本発明は、上述した課題に鑑みてなされたものであり、複数の玉を周方向に等間隔で確実に分配することが可能な玉分配装置を提供することにある。
【課題を解決するための手段】
【００１０】
本発明の上記目的は、下記の構成により達成される。
（１）  内輪と、外輪と、前記内輪及び前記外輪との間に装入された複数の玉と、を有する玉軸受において、前記複数の玉を周方向に等間隔で分配する玉分配装置であって、
前記玉軸受が上方から取外し可能に嵌合される軸受位置決め部と、
前記複数の玉と同数で等間隔の環状に配列されて上下移動可能であると共に、周方向に隣接する一対の前記玉の間に下方から挿入されて前記玉を振り分ける玉分け部を有する複数の串部材と、
前記複数の串部材と同数で等間隔の環状に配列されて上下移動可能であると共に、前記複数の串部材とそれぞれ上下方向に対向するように配置されて、前記複数の串部材を上方に押上げ可能な複数の押上部材と、
前記複数の押上部材を保持し、上下方向への駆動力を発生する上下駆動部と、
前記串部材の玉分け部が、隣接する一対の前記玉の間に挿入された際に、前記串部材及び前記押上部材の上方への移動を規制する移動規制部と、
を備え、
前記押上部材は、前記移動規制部によって上方への移動が規制された後、前記上下駆動部による前記押上部材の上方への移動を規制するバッファ部を有し、
複数組の前記串部材と前記押上部材との対向距離は、隣接する前記串部材及び前記押上部材において異なるように設定される
ことを特徴とする玉分配装置。
（２）  複数組の前記串部材と前記押上部材との対向距離は、互いに隣接する二組の前記串部材と前記押上部材との対向距離を基準として、周方向両側に向かうに従って大きくなる
ことを特徴とする（１）に記載の玉分配装置。
（３）  複数組の前記串部材と前記押上部材との対向距離は、一組の前記串部材と前記押上部材との対向距離を基準として、周方向一方側に向かうに従って大きくなる
ことを特徴とする（１）に記載の玉分配装置。
（４）  複数組の前記串部材と前記押上部材との対向距離は、径方向に対向配置された二組の前記串部材と前記押上部材との対向距離を基準として、周方向一方側に向かうに従って大きくなる
ことを特徴とする（１）に記載の玉分配装置。
（５）  複数組の前記串部材と前記押上部材との対向距離は、互いに隣接する二組の前記串部材と前記押上部材との対向距離と、前記互いに隣接する二組の前記串部材と前記押上部材に対して径方向に対向配置される、他の二組の前記串部材と前記押上部材との上下方向の対向距離と、を基準として周方向両側に向かうに従って大きくなる
ことを特徴とする（１）に記載の玉分配装置。
【発明の効果】
【００１１】
本発明の玉分配装置によれば、複数組の串部材と押上部材との上下方向の対向距離は、隣接する串部材及び押上部材において異なるように設定される。したがって、複数の押上部材は、上下駆動部によって上方に駆動されることにより複数の串部材を上方に順次押上げ、複数の串部材の玉分け部は、周方向に隣接する一対の玉の間に順次挿入され、玉が周方向に等分配される。ここで、玉分配装置は、串部材の玉分け部が一対の玉の間に挿入された際に、串部材及び押上部材の上方への移動を規制する移動規制部を備えており、押上部材は、移動規制部によって上方への移動が規制された後、上下駆動部による押上部材の上方への移動を規制するバッファ部を有する。したがって、全ての串部材の玉分け部が一対の玉の間に挿入されるまで、すなわち全ての玉の分配が完了するまで、全ての玉分け部は一対の玉の間に位置し、分配済の玉を隣接する玉分け部の間に固定することが可能である。このように、分配済の玉の位置を維持することができるので、従来の特許文献１のように分配済の玉が不正な位置に移動することがなく、複数の玉を周方向に等間隔で確実に分配することが可能である。
【図面の簡単な説明】
【００１２】
【図１】第１実施形態に係る玉分配装置の縦断面図である。
【図２】串部材の斜視図である。
【図３】串部材及び押上部材の斜視図である。
【図４】玉軸受の複数の玉の位置を示す図であり、（ａ）は串歯挿入前、（ｂ）は串歯挿入時を示す図である。
【図５】（ａ）〜（ｄ）は、玉軸受の複数の玉が分配される工程を示す図である。
【図６】図１の玉分配装置において、串歯が玉軸受に挿入された様子を示す縦断面図である。
【図７】串歯が玉軸受に挿入された様子を示す平面図である。
【図８】比較例に係る串部材の串歯を示す斜視図である。
【図９】第２実施形態に係る玉分配装置の縦断面図である。
【図１０】図９の玉分配装置において、串歯が玉軸受に挿入された様子を示す縦断面図である。
【図１１】第１変形例において、玉軸受の複数の玉の位置を示す図であり、（ａ）は串歯挿入前、（ｂ）は串歯挿入時を示す図である。
【図１２】第２変形例において、玉軸受の複数の玉の位置を示す図であり、（ａ）は串歯挿入前、（ｂ）は串歯挿入時を示す図である。
【図１３】第３変形例において、玉軸受の複数の玉の位置を示す図であり、（ａ）は串歯挿入前、（ｂ）は串歯挿入時を示す図である。
【発明を実施するための形態】
【００１３】
以下、本発明の各実施形態に係る玉分配装置について、図面に基づいて詳細に説明する。
【００１４】
（第１実施形態）
図１に示すように、第１実施形態に係る玉分配装置１は、装置上部１０と、複数の串部材２０と、複数の押上部材３０と、上下駆動部４０と、を備える。
【００１５】
装置上部１０は、玉軸受３が位置決め固定される略円環状の軸受位置決め部１１と、軸受位置決め部１１の下部に形成された凸部１１ａが、上方に設けられた開口に嵌め込まれる有底円筒状の内周筒状部材１３と、内周筒状部材１３の径方向外側に同心配置される略円筒形状の外周筒状部材１５と、からなる。
【００１６】
玉軸受３は、内輪４と、外輪５と、内輪４及び外輪５との間に挿入された複数の玉６と、を有している。
【００１７】
軸受位置決め部１１は、径方向外側面１１ｂの下部から径方向外側に突出するフランジ部１１ｃを有している。そして、軸受位置決め部１１の径方向外側面１１ｂには、玉軸受３が上方から取外し可能に嵌合され、玉軸受３は、フランジ部１１ｃと当接して上下方向に位置決めされる。
【００１８】
ここで、フランジ部１１ｃの外径は、内輪４の外径と略同一となるように設定されており、フランジ部１１ｃによる玉軸受３の位置決めを確実なものとしている。さらに、外周筒状部材１５の内径は、少なくとも外輪５の内径よりも大きくなるように設定されており、後述する串部材２０の串歯２１を挿入可能なスペースＳを確保している。また、外周筒状部材１５の下端部には、径方向内側に突出する鍔部１５ａが形成されている。
【００１９】
串部材２０は、玉軸受３の複数の玉６と同数（１５個）であり、等間隔の環状に配列されている。なお、図１中においては、簡単のため、紙面手前側から観察可能な８個の串部材２０のみを図示しているが、紙面奥側においても７個の串部材２０が設けられる（図５参照）。また、串部材２０は、上下移動可能とされており、後述する押上部材３０に押上げられることによって上昇し、自重によって下降する。
【００２０】
また、図２も参照し、串部材２０は、周方向に隣接する一対の玉６の間に下方から挿入されて玉６を振り分ける玉分け部としての串歯２１と、串歯２１の下面を支持すると共に、上下方向への移動をガイドする断面略矩形状の串歯ガイド部２３と、串歯ガイド部２３の下面を支持する略円柱状の円柱部２５と、からなる。
【００２１】
串歯２１は、周方向に延びる平板状とされており、その先端面２１ａ（上面）が、周方向一方側（図２中、左側）及び上方に傾斜する傾斜面とされている。また、串歯２１は、軸受位置決め部１１のフランジ部１１ｃと外周筒状部材１５との間のスペースＳと上下方向に対向するように、串歯ガイド部２３の上面における径方向外側に固定されている。
【００２２】
串歯ガイド部２３は、内周及び外周筒状部材１３、１５に摺接するようにその径方向幅が設定されると共に、上下方向幅が、内周及び外周筒状部材１３、１５の半分程度に設定される。このような設定により、串歯ガイド部２３は、内周及び外周筒状部材１３、１５によって径方向に位置決めされながら、正確な上下方向移動が可能となる。
【００２３】
円柱部２５は、串歯ガイド部２３の下面における径方向内側端部を支持する。また、円柱部２５の径方向幅は、串歯ガイド部２３の径方向幅よりも小さく設定され、内周筒状部材１３と外周筒状部材１５の鍔部１５ａとの間の径方向幅と略同一、若しくは当該径方向幅よりも僅か小さく設定される。
【００２４】
ここで、串部材２０が、押上部材３０によって押し上げられることによって、隣接する一対の玉６の間に挿入された場合、それ以降の串部材２０及び押上部材３０の上方への移動は、軸受位置決め部１１のフランジ部１１ｃ（移動規制部）によって規制されることになる。また、押上部材３０による押上げ力が解放された場合、串部材２０は自重によって下降することになるが、外周筒状部材１５の鍔部１５ａによって串歯ガイド部２３が支持されることにより、串部材２０は停止する。
【００２５】
図３も参照し、押上部材３０は、串部材２０と同数、すなわち玉軸受３の複数の玉６と同数（１５個）であり、串部材２０と上下方向に対向するように等間隔の環状に配列されている。また、押上部材３０は、上下方向に延びるロッド３１と、ロッド３１の上端に設けられ、串部材２０の円柱部２５を押上げ可能な略円盤状の押上板３３と、ロッド３１の下端に固定されたナット３５と、を有する。
【００２６】
複数の押上部材３０は、上下駆動部４０の保持部４１によって、それぞれ上下方向に相対移動可能に保持されている。ここで、押上部材３０のナット３５は、保持部４１よりも下方に設けられており、押上部材３０の保持部４１に対する上方への相対移動を規制する。また、押上部材３０のロッド３１は、その周囲にバッファ部としてのバネ等の弾性体３７を有している。弾性体３７は、ロッド３１の周囲において押上板３３から保持部４１の間を隙間無く満たしており、押上部材３０を保持部４１に対して上方に付勢する。したがって、後述するように上下駆動部４０が上方又は下方に向かって駆動された場合、弾性体３７が上下駆動部４０の上下方向への駆動力を複数の押上部材３０に対して伝達するので、上下駆動部４０及び複数の押上部材３０は、一体として上下方向に移動可能とされる。
【００２７】
上下駆動部４０は、上述したように複数の押上部材３０を保持可能な略円環状の保持部４１と、保持部４１を支持すると共に、上下方向に延びる支持ポール５０に対して上下方向に相対移動可能に固定される支持部４３と、ボールねじやタイミングベルト等を介して上下方向への駆動力を発生するモータ（何れも不図示）と、からなる。保持部４１には、周方向に所定間隔で上下方向に貫く複数の貫通孔４１ａが形成されており、この貫通孔４１ａに押上部材３０のロッド３１が挿通される。なお、上下駆動部４０の上下方向への駆動力の発生は、モータによるものに限られず、エアシリンダによるものとしても構わない。
【００２８】
ここで、図１中、複数の串部材２０の円柱部２５のうち、最も右側に位置して互いに隣接する二つの串部材２０の円柱部２５（図１中においては、紙面手前側に位置する一つの円柱部２５のみが図示されている。）の上下方向長さが最も大きく形成されており、これら二つの円柱部２５を基準として、周方向両側（図１中、左側）に向かうに従って、円柱部２５の上下方向長さが小さくなるように形成されている。また、複数の押上部材３０の上下方向長さは、全て略同一となるように形成されている。したがって、複数組の串部材２０と押上部材３０との対向距離Ｌｎ（ｎ：１、２、・・・８）は、隣接する串部材２０及び押上部材３０において異なるように設定され、より具体的には、図１中、最も右側に位置して互いに隣接する二組の串部材２０と押上部材３０との対向距離Ｌ１を基準として、周方向両側に向かうに従って大きくなるように設定される（Ｌ１＜Ｌ２＜・・・＜Ｌ８）。以降、説明の便宜のため、基準となる対向距離Ｌ１を構成する二組の串部材２０及び押上部材３０を、基準串部材２０Ａ及び基準押上部材３０Ａと呼ぶことがある。
【００２９】
このように構成された、本実施形態の玉分配装置１において、玉軸受３の複数の玉６を周方向に等間隔で分配する方法について以下説明する。
【００３０】
先ず、玉軸受３を軸受位置決め部１１に上方からセットする。次に、図４（ａ）及び図５（ａ）に示すように、玉軸受３の複数の玉６が、互いに当接するように一箇所に集める。ここで、複数の玉６のうち、周方向中間に位置する玉６（図４中、「●」で表されている。）の周方向位置が、二組の基準串部材２０Ａ及び基準押上部材３０Ａの周方向における間に位置するように、複数の玉６の集められる位置が設定される。
【００３１】
その後、上下駆動部４０によって複数の押上部材３０を上方に駆動することにより、先ず、最も小さい対向距離Ｌ１を構成する二組の基準串部材２０Ａ及び基準押上部材３０Ａが接触する。ここで、弾性体３７の上方への付勢力が、基準串部材２０Ａから基準押上部材３０Ａに対して下方に向かう力によりも大きくなるように設定されているので、基準串部材２０Ａは基準押上部材３０Ａによって上方に押上げられる。押上げられた二つの基準串部材２０Ａの串歯２１は、図４中「●」で表された玉６（周方向中間の玉）と、当該玉６の周方向両側に隣接する一対の玉６（周方向中間から二番目の一対の玉）と、の間に挿入される（図４（ｂ）、図５（ｂ）、図６参照）。これにより、周方向中間の玉６は、正規の位置に分配されると共に、隣接する一対の串歯２１の間に固定される。
【００３２】
続いて、上下駆動部４０によって複数の押上部材３０を上方に駆動することにより、対向距離Ｌ２を構成する二組の串部材２０及び押上部材３０が接触し、押上げられた二つの串部材２０の串歯２１が、周方向中間から二番目の一対の玉６と、三番目の一対の玉６と、の間に挿入される（図４（ｂ）、図５（ｂ）参照）。これにより、周方向中間から二番目の一対の玉６は、それぞれ正規の位置に分配されると共に、隣接する一対の串歯２１の間に固定される。
【００３３】
その後、さらに上下駆動部４０によって複数の押上部材３０を上方に駆動することにより、対向距離Ｌｎ（ｎ＝３〜８）を構成する複数組の串部材２０及び押上部材３０が順次接触し、押し上げられた串部材２０の串歯２１が、図４（ｂ）の矢印で示されるような順番で、一対の玉６の間に順次挿入され、複数の玉６は周方向に等分配される（図５（ｃ）、図７参照）。
【００３４】
ここで、図６に示すように、串歯２１が一対の玉６の間に挿入された際、串歯ガイド部２３が軸受位置決め部１１のフランジ部１１ｃ（移動規制部）に当接することによって、串部材２０の上方への移動が規制される。そして、押上部材３０の弾性体３７がバッファ部として機能することによって、それ以降の上下駆動部４０による串部材２０及び押上部材３０の上方への移動が規制され、押上部材３０は上下駆動部４０の保持部４１に対して下方に相対移動する。したがって、全ての串部材２０の串歯２１が一対の玉６の間に挿入されるまで、すなわち全ての玉６の分配が完了するまで、全ての串歯２１は一対の玉６の間に位置するので、分配済の玉６を隣接する一対の串歯２１の間に固定することが可能である。
【００３５】
次に、全ての玉６が正規の位置、すなわち周方向に等分配された後、上下駆動部４０を下方に駆動することによって、複数の串部材２０及び複数の押上部材３０を下降させて、複数の串歯２１を複数の玉６の間から引き抜く。そして、複数の玉６が周方向に等分配された玉軸受３（図５（ｄ）参照）を、軸受位置決め部１１から取り外すことにより、複数の玉６の分配工程を終了する。
【００３６】
以上説明したように、本実施形態の玉分配装置１によれば、複数組の串部材２０と押上部材３０との上下方向の対向距離Ｌｎは、隣接する串部材２０及び押上部材３０において異なるように、より具体的には、互いに隣接する二組の基準串部材２０Ａと基準押上部材３０Ａとの対向距離Ｌ１を基準として、周方向両側に向かうに従って大きくなるように設定される（Ｌ１＜Ｌ２＜・・・＜Ｌ８）。したがって、複数の押上部材３０は、上下駆動部４０によって上方に駆動されることにより複数の串部材２０を上方に順次押上げ、複数の串部材２０の串歯２１は、周方向に隣接する一対の玉６の間に順次挿入され、玉６が周方向に等分配される。ここで、玉分配装置１は、串部材２０の串歯２１が一対の玉６の間に挿入された際に、串部材２０及び押上部材３０の上方への移動を規制する軸受位置決め部１１のフランジ部１１ｃを備えており、押上部材３０は、フランジ部１１ｃによって上方への移動が規制された後、上下駆動部４０による押上部材３０への上方への移動を規制する弾性体３７を有する。したがって、全ての串部材２０の串歯２１が一対の玉６の間に挿入されるまで、すなわち全ての玉６の分配が完了するまで、全ての串歯２１は一対の玉６の間に位置し、分配済の玉６を隣接する串歯２１の間に固定することが可能である。このように、分配済の玉６の位置を維持することができるので、従来の特許文献１のように分配済の玉６が不正な位置に移動することがなく、複数の玉６を周方向に等間隔で確実に分配することが可能である。
【００３７】
なお、上述の実施形態のような複数の押上部材３０を設けず、図８に示すように、上下方向長さが異なる複数の串部材２０の串歯２１を、上下駆動部４０の保持部４１に直接固定した場合、串歯２１が薄肉で長くなってしまい、機械加工が困難であると共に、熱処理時に変形する虞がある。また、このような串歯２１は、強度や剛性が不足しがちであることから、生産現場において取り扱いに注意を要する。したがって、本実施形態のように、押上部材３０を設けると共に、串部材２０を串歯２１と串歯ガイド部２３と円柱部２５とからなる構成とすることにより、串歯２１の上下方向長さを減じて、串歯２１の強度及び剛性を向上させることが可能である。
【００３８】
（第２実施形態）
次に、本発明の第２実施形態に係る玉分配装置１について説明する。なお、本実施形態の玉分配装置１は、第１実施形態と基本的構成を同一とするため、同一又は相当部分には同一符号を付すことにより説明を省略又は簡略化する。
【００３９】
図９に示すように、本実施形態の玉分配装置１においては、複数の串部材２０の円柱部２５の上下方向長さは、全て略同一となるように形成される。また、複数の押上部材３０のうち、最も右側に位置して互いに隣接する二つの押上部材３０（図９中においては、紙面手前側に位置する一つの押上部材３０のみが図示されている。）の上下方向長さが最も大きく形成されており、これら二つの押上部材３０を基準として、周方向両側に向かうに従って、押上部材３０の上下方向長さが小さくなるように形成されている。したがって、複数組の串部材２０と押上部材３０との対向距離Ｌｎ（ｎ：１、２、・・・８）は、第１実施形態と同様に、図９中、最も右側に位置して互いに隣接する二組の基準串部材２０Ａと基準押上部材３０Ａとの対向距離Ｌ１を基準として、周方向両側に向かうに従って大きくなる（Ｌ１＜Ｌ２＜・・・＜Ｌ８）。
【００４０】
また、複数の押上部材３０は、バッファ部として、第１実施形態のような弾性体３７を有しておらず、代わりに調圧とリリーフ機能を有する空気ばね回路３８を有している。空気ばね回路３８は、押上部材３０を保持部４１に対して上方に付勢する。したがって、上下駆動部４０が上方又は下方に向かって駆動された場合、空気ばね回路３８が上下駆動部４０の上下方向への駆動力を複数の押上部材３０に対して伝達するので、上下駆動部４０及び複数の押上部材３０は、一体として上下方向に移動可能とされる。また、上下駆動部４０によって複数の押上部材３０を上方に駆動することにより、串部材２０及び押上部材３０が接触した場合、空気ばね回路３８による押上部材３０に対する上方への付勢力が、串部材２０から押上部材３０に対して下方に向かう力によりも大きくなるように設定されているので、串部材２０は押上部材３０によって上方に押上げられる。
【００４１】
このように構成された、本実施形態の玉分配装置１においても、第１実施形態と同様の方法によって、玉軸受３の複数の玉６が周方向に等間隔で分配される。
【００４２】
すなわち、先ず、玉軸受３を軸受位置決め部１１に上方からセットする。次に、図４（ａ）及び図５（ａ）に示すように、玉軸受３の複数の玉６が、互いに当接するように一箇所に集める。
【００４３】
その後、上下駆動部４０によって複数の押上部材３０を上方に駆動することにより、対向距離Ｌｎ（ｎ＝１〜８）を構成する複数組の串部材２０及び押上部材３０が順次接触し、押し上げられた串部材２０の串歯２１が、一対の玉６の間に順次挿入され、複数の玉６は周方向に等分配される（図４（ｂ）、図５（ｂ）〜（ｃ）、図７参照）。
【００４４】
ここで、図１０に示すように、串歯２１が一対の玉６の間に挿入された際、押上部材３０の押上板３３が内周筒状部材１３の下面１３ａと外周筒状部材１５の下面１５ｂとからなる移動規制部に当接することによって、それ以降の串部材２０及び押上部材３０の上方への移動が規制される。そして、押上部材３０の空気ばね回路３８がバッファ部として機能することによって、それ以降の上下駆動部４０による串部材２０及び押上部材３０の上方への移動が規制され、押上部材３０は上下駆動部４０の保持部４１に対して下方に相対移動する。したがって、全ての串部材２０の串歯２１が一対の玉６の間に挿入されるまで、すなわち全ての玉６の分配が完了するまで、全ての串歯２１は一対の玉６の間に位置するので、分配済の玉６を隣接する一対の串歯２１の間に固定することが可能である。
【００４５】
次に、全ての玉６が正規の位置、すなわち周方向に等分配された後、上下駆動部４０を下方に駆動することによって、複数の串部材２０及び複数の押上部材３０を下降させて、複数の串歯２１を複数の玉６の間から引き抜く。そして、複数の玉６が周方向に等分配された玉軸受３（図５（ｄ）参照）を、軸受位置決め部１１から取り外すことにより、複数の玉６の分配工程を終了する。
【００４６】
このように、第２実施形態における玉分配装置１によっても、第１実施形態と同様の効果を奏することが可能となる。
【００４７】
なお、上述の各実施形態においては、複数組の串部材２０と押上部材３０との上下方向の対向距離Ｌｎは、互いに隣接する二組の基準串部材２０Ａと基準押上部材３０Ａとの対向距離Ｌ１を基準として、周方向両側に向かうに従って大きくなるように設定される（Ｌ１＜Ｌ２＜・・・）としたが、当該構成に限定されるものではなく、以下に示す第１〜第３変形例のような構成としても構わない。
【００４８】
（第１変形例）
第１変形例において、複数組の串部材２０と押上部材３０との上下方向の対向距離Ｌｎは、一組の基準串部材２０Ａと基準押上部材３０Ａとの対向距離Ｌ１を基準として、周方向一方側（図１１中、反時計回り）に向かうに従って大きくなるように設定される（Ｌ１＜Ｌ２＜・・・）。
【００４９】
このように構成した場合、複数の玉６の分配を行う際には、図１１（ａ）に示すように、先ず、複数の玉６が、互いに当接するように一箇所に集められる。ここで、複数の玉６のうち、周方向他端に位置する玉６（図１１中、「●」で表されている。）の周方向位置が、一組の基準串部材２０Ａ及び基準押上部材３０Ａの周方向他方側に近接する位置となるように、複数の玉６の集められる位置が設定される。
【００５０】
その後、上下駆動部４０によって複数の押上部材３０を上方に駆動することにより、対向距離Ｌｎを構成する複数組の串部材２０及び押上部材３０が順次接触し、押し上げられた串部材２０の串歯２１が、図１１（ｂ）の矢印で示されるような順番で、一対の玉６の間に順次挿入され、複数の玉６は周方向に等分配される。
【００５１】
（第２変形例）
第２変形例において、複数組の串部材２０と押上部材３０との上下方向の対向距離Ｌｎは、径方向に対向配置された、すなわち点対称に配置された二組の基準串部材２０Ａと基準押上部材３０Ａとの対向距離Ｌ１を基準として、周方向一方側（図１２中、反時計回り）に向かうに従って大きくなるように設定される（Ｌ１＜Ｌ２＜・・・）。
【００５２】
このように構成した場合、複数の玉６の分配を行う際には、図１２（ａ）に示すように、先ず、複数の玉６のうちの半数ずつが、互いに当接するように二箇所に集められる。ここで、二箇所に集められた複数の玉６のうち、周方向他端に位置する玉６（図１２中、「●」で表されている。）の周方向位置が、二組の基準串部材２０Ａ及び基準押上部材３０Ａの周方向他方側に近接する位置となるように、複数の玉６の集められる位置が設定される。
【００５３】
その後、上下駆動部４０によって複数の押上部材３０を上方に駆動することにより、対向距離Ｌｎを構成する複数組の串部材２０及び押上部材３０が順次接触し、押し上げられた串部材２０の串歯２１が、図１２（ｂ）の矢印で示されるような順番で、一対の玉６の間に順次挿入され、複数の玉６は周方向に等分配される。
【００５４】
（第３変形例）
第３変形例において、複数組の串部材２０と押上部材３０との上下方向の対向距離Ｌｎは、互いに隣接する二組の基準串部材２０Ａと基準押上部材３０Ａとの対向距離Ｌ１と、これら互いに隣接する二組の基準串部材２０Ａと基準押上部材３０Ａに対して径方向に対向配置される、他の二組の基準串部材２０Ａと基準押上部材３０Ａとの対向距離Ｌ１と、を基準として、周方向両側に向かうに従って大きくなるように設定される（Ｌ１＜Ｌ２＜・・・）。
【００５５】
このように構成した場合、複数の玉６の分配を行う際には、図１３（ａ）に示すように、先ず、複数の玉６のうちの半数ずつが、互いに当接するように二箇所に集められる。ここで、二箇所に集められた複数の玉６のうち、周方向中間に位置する玉６（図１３中、「●」で表されている。）の周方向位置が、二組の基準串部材２０Ａ及び基準押上部材３０Ａの間に位置するように、複数の玉６の集められる位置が設定される。
【００５６】
その後、上下駆動部４０によって複数の押上部材３０を上方に駆動することにより、対向距離Ｌｎを構成する複数組の串部材２０及び押上部材３０が順次接触し、押し上げられた串部材２０の串歯２１が、図１３（ｂ）の矢印で示されるような順番で、一対の玉６の間に順次挿入され、複数の玉６は周方向に等分配される。
【００５７】
なお、本発明は、前述した実施形態に限定されるものではなく、適宜、変形、改良、等が可能である。
【００５８】
例えば、第１実施形態においては、バッファ部として弾性体３７を、移動規制部として軸受位置決め部１１のフランジ部１１ｃを適用し、一方、第２実施形態においては、バッファ部として空気ばね回路３８を、移動規制部として内周筒状部材１３の下面１３ａ及び外周筒状部材１５の下面１５ｂを適用したが、第１実施形態において第２実施形態のバッファ部又は移動規制部を適用してもよく、第２実施形態において第１実施形態のバッファ部又は移動規制部を適用しても構わない。
【符号の説明】
【００５９】
１      玉分配装置
３      玉軸受
４      内輪
５      外輪
６      玉
１０    装置上部
１１    軸受位置決め部
１１ａ  凸部
１１ｂ  径方向外側面
１１ｃ  フランジ部（移動規制部）
１３    内周筒状部材
１３ａ  下面（移動規制部）
１５    外周筒状部材
１５ａ  鍔部
１５ｂ  下面（移動規制部）
２０    串部材
２１    串歯（玉分け部）
２１ａ  先端面
２３    串歯ガイド部
２５    円柱部
３０    押上部材
３１    ロッド
３３    押上板
３５    ナット
３７    弾性体（バッファ部）
３８    空気ばね回路（バッファ部）
４０    上下駆動部
４１    保持部
４３    支持部
５０    支持ポール
Ｓ      スペース
【図１】
2014233827.tif 000003
【図２】
2014233827.tif 000004
【図３】
2014233827.tif 000005
【図４】
2014233827.tif 000006
【図５】
2014233827.tif 000007
【図６】
2014233827.tif 000008
【図７】
2014233827.tif 000009
【図８】
2014233827.tif 000010
【図９】
2014233827.tif 000011
【図１０】
2014233827.tif 000012
【図１１】
2014233827.tif 000013
【図１２】
2014233827.tif 000014
【図１３】
2014233827.tif 000015